(57)【特許請求の範囲】
【請求項１】
Ａ薬液注入管を用いてＡ薬液およびＢ薬液注入管を用いてＢ薬液を地盤内に注入し、Ａ薬液とＢ薬液の混合薬液により地盤を固化改良させる薬液注入システムであって、
Ａ薬液を貯留するＡ液貯留タンクと、
Ｂ薬液を貯留するＢ液貯留タンクと、
内部が中空で側壁にスリットが複数個設けられ、地盤改良計画範囲の地盤内に複数本挿入され、中空内部にＡ液が送り込まれるＡ薬液注入管と、
内部が中空で側壁にスリットが複数個設けられ、地盤改良計画範囲の地盤内に複数本挿入され、中空内部にＢ液が送り込まれるＢ薬液注入管と、
前記Ａ液貯留タンク内のＡ薬液をＡ液注入パイプを介し前記Ａ薬液注入管に送り込むＡ液コンプレッサと、
前記Ｂ液貯留タンク内のＢ薬液をＢ液注入パイプを介し前記Ｂ薬液注入管に送り込むＢ液コンプレッサと、
地盤改良計画範囲の地盤内に注入されたＡ薬液とＢ薬液が混合された混合薬液の地盤内への浸入値を検出する注入効果確認検出体と、
前記注入効果確認検出体により検出された前記Ａ薬液注入管のスリットから地盤内に注入されたＡ薬液と前記Ｂ薬液注入管のスリットから地盤内に注入されたＢ薬液の混合薬液の地盤内への浸入値が所定の基準値内かを検知する薬液浸入検知部と、
該薬液浸入検知部によりＡ薬液とＢ薬液の混合薬液の地盤内への浸入値が所定の基準値内でないと検知されたときに、Ａ薬液とＢ薬液の混合薬液の地盤内への浸入値が所定の基準値内でないと検出された前記注入効果確認検出体周辺の前記Ａ薬液注入管に前記Ａ液貯留タンク内のＡ薬液および前記Ｂ薬液注入管に前記Ｂ液貯留タンク内のＢ薬液を送り込む量を増大させるように制御する制御装置と、を有することを特徴とする薬液注入システム。
【請求項２】
前記Ａ液コンプレッサと前記Ｂ液コンプレッサは、一つのコンプレッサであることを特徴とする請求項１記載の薬液注入システム。
【請求項３】
前記制御装置は、Ａ薬液とＢ薬液の混合薬液の地盤内への浸入値が所定の基準値内でないと検出された前記注入効果確認検出体から近い複数の前記Ａ薬液注入管に前記Ａ液貯留タンク内のＡ薬液および前記Ｂ薬液注入管に前記Ｂ液貯留タンク内のＢ薬液を送り込む量を増大させるように制御することを特徴とする請求項１記載の薬液注入システム。
【請求項４】
内部が中空で側壁にスリットが複数個設けられた前記Ａ薬液注入管を用いて地盤内にＡ薬液および前記Ｂ薬液注入管を用いて地盤内にＢ薬液を注入し、Ａ薬液とＢ薬液の混合薬液により地盤を固化改良させる薬液注入工法であって、
前記Ａ薬液注入管および前記Ｂ薬液注入管を地盤改良計画範囲の地盤内に複数本挿入する注入管挿入工程と、
Ａ薬液とＢ薬液の混合薬液の地盤内への浸入値を検出する注入効果確認検出体を地盤改良計画範囲の地盤内に挿入する注入効果確認検出体挿入工程と、
該注入管挿入工程により地盤に挿入された前記Ａ薬液注入管内にＡ薬液および前記Ｂ薬液注入管内にＢ薬液を注入し、前記Ａ薬液注入管の側壁のスリットから地盤内にＡ薬液および前記Ｂ薬液注入管の側壁のスリットから地盤内にＢ薬液が注入され、Ａ薬液とＢ薬液の混合薬液を地盤内に浸透させる薬液注入工程と、
前記注入効果確認検出体によりＡ薬液とＢ薬液の混合薬液の地盤内への浸入値を検出する薬液浸入値検出工程と、
該薬液浸入値検出工程により検出されたＡ薬液とＢ薬液の混合薬液の地盤内への浸入値が所定の基準値内かを検知する薬液浸入基準値内検知工程と、
該薬液浸入基準値内検知工程によりＡ薬液とＢ薬液の混合薬液の地盤内への浸入値が所定の基準値内でないと検知されたときに、Ａ薬液とＢ薬液の混合薬液の地盤内への浸入値が所定の基準値内でないと検出された該注入効果確認検出体周辺の前記Ａ薬液注入管にＡ薬液および前記Ｂ薬液注入管にＢ薬液を送り込む量を増大させる薬液増大工程と、を有する請求項１記載の薬液注入システムを用いた薬液注入工法。
【請求項５】
前記注入管挿入工程は、前記Ａ薬液注入管および前記Ｂ薬液注入管を縦横あらかじめ定められた間隔を空けて地盤改良計画範囲の地盤内に挿入することを特徴とする請求項４記載の薬液注入工法。
【請求項６】
前記薬液浸入基準値内検知工程は、前記注入効果確認検出体により検出されたＡ薬液とＢ薬液の混合薬液のｐＨ値により、Ａ薬液とＢ薬液の混合薬液のｐＨ値が所定の基準値内かを検知することを特徴とする請求項５記載の薬液注入工法。
【請求項７】
前記薬液注入工程は、前記Ａ薬液注入管の側壁のスリットから地盤内に着色されたＡ薬液および前記Ｂ薬液注入管の側壁のスリットから地盤内に着色された着色されたＢ薬液を注入し、
前記薬液浸入基準値内検知工程は、前記注入効果確認検出体により検出されたＡ薬液とＢ薬液の混合薬液の着色により、Ａ薬液とＢ薬液の混合薬液の着色値が所定の基準値内かを検知することを特徴とする請求項５記載の薬液注入工法。
【請求項８】
前記薬液浸入基準値内検知工程は、前記注入効果確認検出体により検出されたＡ薬液とＢ薬液の混合薬液の粘度により、Ａ薬液とＢ薬液の混合薬液の粘度値が所定の基準値内かを検知することを特徴とする請求項５記載の薬液注入工法。
【発明の詳細な説明】
【技術分野】
【０００１】
本発明は、Ａ薬液注入管を用いてＡ薬液とＢ薬液注入管を用いてＢ薬液を地盤内に注入し、Ａ薬液とＢ薬液の混合薬液により地盤を固化改良させる薬液注入システムおよびそれを用いた薬液注入工法に関する。
【背景技術】
【０００２】
従来、地中に薬液を浸透注入する薬液注入工法（浸透注入工法）として、たとえば、貯留槽５２に貯留された浸透注入材Ｌを地盤Ｇ中に配置した注入口５１ａから地盤Ｇ中に注入するものがあった（図６参照）。ここで、図６は従来の薬液注入システムを示す図である。この薬液注入工法は、注入ライン５１を流れる浸透注入材Ｌの流量を計測する流量計５３と、タンク５２の内部から浸透注入材Ｌを吸引して地盤Ｇ中に圧送するポンプＰと、注入ライン５１を流れる浸透注入材Ｌの流量を調整する流量制御バルブ５４と、浸透注入材Ｌを地盤Ｇ中に注入するときの注入圧力の変化を検出する圧力センサ５５とを有し、圧力センサ５５が検出した注入圧力に基づき流量制御バルブ５４を制御するものであった。その制御として、たとえば、圧力センサ５５が検出した注入圧力が高いときは、流量制御バルブ５４の開度を小さくして注入ライン５１を流れる浸透注入材Ｌの流量を減らすように制御される。これにより、地盤Ｇ中に注入される浸透注入材Ｌの注入量が減少し、浸透注入材Ｌの注入圧力が低くなる。一方、圧力センサ５５が検出した注入圧力が低いときは、制御装置５６は流量制御バルブ５４の開度を大きくして注入ライン５１を流れる浸透注入材Ｌの流量を増やすように制御される。これにより、地盤Ｇ中に注入される浸透注入材Ｌの注入量が増大し、浸透注入材Ｌの注入圧力が高くなる。つまり、制御装置５６は、浸透注入材Ｌの注入圧力の変化に応じて地盤Ｇ中への浸透注入材Ｌの注入量を増減し、浸透注入材Ｌの注入圧力を常に一定に維持するものであった。
【０００３】
この浸透注入装置５０により浸透注入を行うことにより、浸透抵抗圧の高い砂層では、最初は、浸透注入材Ｌが層中に浸透して行き難いので、浸透注入材Ｌの注入圧力は高くなるが、即座に、圧力センサ５５がこの注入圧力の変化を検出し、制御装置５６が流量制御バルブ５４を制御して浸透注入材Ｌの注入量を減少させ、浸透注入材Ｌの注入圧力を下げて一定の圧力にする。この結果、浸透注入材Ｌの注入によって層中に割裂が発生することなく、浸透注入材Ｌは層中に均質に浸透して行く。一方、浸透抵抗圧の低い砂層では、最初は、層中に浸透注入材Ｌが浸透して行き易いので、浸透注入材Ｌの注入圧力は低くなるが、即座に、圧力センサ５５がこの注入圧力の変化を検出し、制御装置５６が流量制御バルブ５４を制御して浸透注入材Ｌの注入量を増大させ、浸透注入材Ｌの注入圧力を上げて一定の圧力にする。この結果、十分な量の浸透注入材Ｌが砂層中に注入されて浸透して行くというものであった（たとえば、特許文献１）。
【先行技術文献】
【特許文献】
【０００４】
【特許文献１】特開２００３−３４２９４５号公報（従来技術）
【発明の概要】
【発明が解決しようとする課題】
【０００５】
しかしながら、従来の薬液注入工法では、浸透注入材Ｌを地盤Ｇ中の砂層の浸透抵抗圧に応じた注入量で注入し、地盤Ｇ中に均質に浸透させることができるものであるが、この薬液注入工法では、地盤内に薬液が浸透していない箇所が存在する可能性がある。このように、薬液が浸透していないところが存在すると、その薬液が浸透していないところの地盤が固化せず、不完全な地盤改良になってしまうという問題があった。
【０００６】
本発明は上記問題点に鑑みてなされたもので、固化してない地盤改良計画範囲の地盤をＡ薬液とＢ薬液の混合薬液により固化させることにより、地盤改良計画範囲の地盤全般を固化改良させることができる薬液注入システムおよびそれを用いた薬液注入工法を提供することを目的とする。
【課題を解決するための手段】
【０００７】
上記課題を解決し上記目的を達成するために、本発明のうち第１の態様に係るものは、Ａ薬液注入管を用いてＡ薬液およびＢ薬液注入管を用いてＢ薬液を地盤内に注入し、Ａ薬液とＢ薬液の混合薬液により地盤を固化改良させる薬液注入システムであって、Ａ薬液を貯留するＡ液貯留タンクと、Ｂ薬液を貯留するＢ液貯留タンクと、内部が中空で側壁にスリットが複数個設けられ、地盤改良計画範囲の地盤内に複数本挿入され、中空内部にＡ液が送り込まれるＡ薬液注入管と、内部が中空で側壁にスリットが複数個設けられ、地盤改良計画範囲の地盤内に複数本挿入され、中空内部にＢ液が送り込まれるＢ薬液注入管と、Ａ液貯留タンク内のＡ薬液をＡ液注入パイプを介しＡ薬液注入管に送り込むＡ液コンプレッサと、Ｂ液貯留タンク内のＢ薬液をＢ液注入パイプを介しＢ薬液注入管に送り込むＢ液コンプレッサと、地盤改良計画範囲の地盤内に注入されたＡ薬液とＢ薬液が混合された混合薬液の地盤内への浸入値を検出する注入効果確認検出体と、注入効果確認検出体により検出されたＡ薬液注入管のスリットから地盤内に注入されたＡ薬液とＢ薬液注入管のスリットから地盤内に注入されたＢ薬液の混合薬液の地盤内への浸入値が所定の基準値内かを検知する薬液浸入検知部と、薬液浸入検知部によりＡ薬液とＢ薬液の混合薬液の地盤内への浸入値が所定の基準値内でないと検知されたときに、Ａ薬液とＢ薬液の混合薬液の地盤内への浸入値が所定の基準値内でないと検出された注入効果確認検出体周辺のＡ薬液注入管にＡ液貯留タンク内のＡ薬液およびＢ薬液注入管にＢ液貯留タンク内のＢ薬液を送り込む量を増大させるように制御する制御装置と、を有することを特徴とするものである。
【０００８】
本発明によれば、Ａ薬液とＢ薬液の混合薬液の地盤内への浸入値が所定の基準値内でないと検出された注入効果確認検出体周辺のＡ薬液注入管にＡ液貯留タンク内のＡ薬液およびＢ薬液注入管にＢ液貯留タンク内のＢ薬液を送り込む量を増大させるので、固化してない地盤改良計画範囲の地盤をＡ薬液とＢ薬液の混合薬液により固化させることができ、地盤改良計画範囲全体の地盤を固化改良させることができる。
【０００９】
本発明のうち第２の態様に係るものは、第１の態様に係る薬液注入システムであって、Ａ液コンプレッサとＢ液コンプレッサは、一つのコンプレッサであることを特徴とする。
【００１０】
本発明のうち第３の態様に係るものは、第１の態様に係る薬液注入システムであって、制御装置は、Ａ薬液とＢ薬液の混合薬液の地盤内への浸入値が所定の基準値内でないと検出された注入効果確認検出体から近い複数のＡ薬液注入管にＡ液貯留タンク内のＡ薬液およびＢ薬液注入管にＢ液貯留タンク内のＢ薬液を送り込む量を増大させるように制御することを特徴とするものである。
【００１１】
固化してない地盤改良計画範囲の地盤を固化させるためには、その固化してない地盤改良計画範囲の地盤周辺のＡ薬液注入管から注入されたＡ薬液とＢ薬液注入管から注入されたＢ薬液の混合薬液を浸透させればよいが、あまり広い周辺範囲のＡ薬液注入管およびＢ薬液注入管から混合薬液を注入させると、本来必要でない無駄な混合薬液を注入することになる。本発明によれば、混合薬液の地盤内への浸入値が所定の基準値内でないと検出された注入効果確認検出体から近い複数のＡ薬液注入管にＡ液貯留タンク内のＡ薬液およびＢ薬液注入管にＢ液貯留タンク内のＢ薬液を送り込む量を増大させるように制御しているので、送り込まなくてよい不要な混合薬液の注入を極力少なくすることができるとともに、固化していない地盤を確実に固化させることができる。
【００１２】
本発明のうち第４の態様に係るものは、第１の態様に係る薬液注入システムを用いた薬液注入工法であって、内部が中空で側壁にスリットが複数個設けられたＡ薬液注入管を用いて地盤内にＡ薬液およびＢ薬液注入管を用いて地盤内にＢ薬液を注入し、Ａ薬液とＢ薬液の混合薬液により地盤を固化改良させる薬液注入工法であって、Ａ薬液注入管およびＢ薬液注入管を地盤改良計画範囲の地盤内に複数本挿入する注入管挿入工程と、Ａ薬液とＢ薬液の混合薬液の地盤内への浸入値を検出する注入効果確認検出体を地盤改良計画範囲の地盤内に挿入する注入効果確認検出体挿入工程と、注入管挿入工程により地盤に挿入されたＡ薬液注入管内にＡ薬液およびＢ薬液注入管内にＢ薬液を注入し、Ａ薬液注入管の側壁のスリットから地盤内にＡ薬液およびＢ薬液注入管の側壁のスリットから地盤内にＢ薬液が注入され、Ａ薬液とＢ薬液の混合薬液を地盤内に浸透させる薬液注入工程と、注入効果確認検出体によりＡ薬液とＢ薬液の混合薬液の地盤内への浸入値を検出する薬液浸入値検出工程と、薬液浸入値検出工程により検出されたＡ薬液とＢ薬液の混合薬液の地盤内への浸入値が所定の基準値内かを検知する薬液浸入基準値内検知工程と、薬液浸入基準値内検知工程によりＡ薬液とＢ薬液の混合薬液の地盤内への浸入値が所定の基準値内でないと検知されたときに、Ａ薬液とＢ薬液の混合薬液の地盤内への浸入値が所定の基準値内でないと検出された注入効果確認検出体周辺のＡ薬液注入管にＡ薬液およびＢ薬液注入管にＢ薬液を送り込む量を増大させる薬液増大工程と、を有するものである。
【００１３】
本発明によれば、Ａ薬液とＢ薬液の混合薬液の地盤内への浸入値を検出する注入効果確認検出体が地盤改良計画範囲の地盤内に挿入され、薬液浸入基準値内検知工程によりＡ薬液とＢ薬液の混合薬液の地盤内への浸入値が所定の基準値内でないと検知されたときに、Ａ薬液とＢ薬液の混合薬液の地盤内への浸入値が所定の基準値内でないと検出された注入効果確認検出体周辺のＡ薬液注入管にＡ薬液およびＢ薬液注入管にＢ薬液を送り込む量を増大させるので、固化してない地盤改良計画範囲の地盤をＡ薬液とＢ薬液の混合薬液により固化させることができ、地盤改良計画範囲全体の地盤を固化改良させることができる。
【００１４】
本発明のうち第５の態様に係るものは、第４の態様に係る薬液注入工程であって、注入管挿入工程は、Ａ薬液注入管およびＢ薬液注入管を縦横あらかじめ定められた間隔を空けて地盤改良計画範囲の地盤内に挿入することを特徴とすることを特徴とするものである。
【００１５】
本発明によれば、Ａ薬液注入管およびＢ薬液注入管を縦横あらかじめ定められた間隔を空けて地盤改良計画範囲の地盤内に挿入するので、注入されたＡ薬液およびＢ薬液が均等に混ざり、地盤を万遍なく均等に固化させることができる。
【００１６】
本発明のうち第６の態様に係るものは、第５の態様に係る薬液注入工法であって、薬液浸入基準値内検知工程は、注入効果確認検出体により検出されたＡ薬液とＢ薬液の混合薬液のｐＨ値により、Ａ薬液とＢ薬液の混合薬液のｐＨ値が所定の基準値内かを検知することを特徴とするものである。
【００１７】
本発明のうち第７の態様に係るものは、第５の態様に係る薬液注入工法であって、
薬液注入工程は、Ａ薬液注入管の側壁のスリットから地盤内に着色されたＡ薬液およびＢ薬液注入管の側壁のスリットから地盤内に着色された着色されたＢ薬液を注入し、薬液浸入基準値内検知工程は、注入効果確認検出体により検出されたＡ薬液とＢ薬液の混合薬液の着色により、Ａ薬液とＢ薬液の混合薬液の着色値が所定の基準値内かを検知することを特徴とすることを特徴とするものである。
【００１８】
本発明のうち第８の態様に係るものは、第５の態様に係る薬液注入工法であって、薬液浸入基準値内検知工程は、注入効果確認検出体により検出されたＡ薬液とＢ薬液の混合薬液の粘度により、Ａ薬液とＢ薬液の混合薬液の粘度値が所定の基準値内かを検知することを特徴とするものである。
【発明の効果】
【００１９】
以上のように本発明の薬液注入システムおよびそれを用いた薬液注入工法によれば、固化してない地盤改良計画範囲の地盤をＡ薬液とＢ薬液の混合薬液により固化させることにより、地盤改良計画範囲の地盤全般を固化改良させることができる。
【図面の簡単な説明】
【００２０】
【図１】本発明の一実施形態における薬液注入工法に用いられる薬液注入システムを示す図である。
【図２】（ａ）本発明の一実施形態における薬液注入システムに用いられる薬液注入管の側面図である。  （ｂ）図２（ａ）のＡ−Ａ断面を示す図である。  （ｃ）図２（ａ）のＢ−Ｂ断面を示す図である。
【図３】（ａ）本発明の一実施形態における薬液注入管および注入効果確認検出体が挿入される位置を示す上面図である。  （ｂ）図３（ａ）のＸ−ＸとＹ−Ｙ範囲を示す図である。
【図４】本発明の一実施形態における薬液注入工法の施工手順を示すフローチャートである。
【図５】本発明の変形例３の薬液注入管の図２（ａ）のＢ−Ｂ断面を示す図である。
【図６】従来の薬液注入システムを示す図である。
【発明を実施するための形態】
【００２１】
以下、本発明の薬液注入システムを用いた薬液注入工法の一実施形態について図面を参照にしながら説明する。図１は、本発明の一実施形態における薬液注入工法に用いられる薬液注入システムを示す図である。
【００２２】
図１に示すように、薬液注入システムは、Ａ薬液注入管１ａ、Ｂ薬液注入管１ｂと、Ａ液貯留タンク２と、Ｂ液貯留タンク３と、Ａ液コンプレッサ４と、Ｂ液コンプレッサ５と、ガラス電極ｐＨメータ６（注入効果確認検出体）と、薬液浸入検知部７と、制御装置８とを有している。
【００２３】
Ａ薬液注入管１ａ、Ｂ薬液注入管１ｂは、後述するように、先端部が蓋９で閉鎖され、内部が中空で側壁にスリット１０が８０個形成されている（図２参照）。なお、本実施形態では、注入効果確認検出体としてガラス電極ｐＨメータ６を用いているが、これに限らず、地盤内に注入されたＡ薬液とＢ薬液の混合薬液の地盤内への地盤内への浸入値を検出することができるものであれば、後述の変形例を含め他の注入効果確認検出体であってもよい。
【００２４】
Ａ液貯留タンク２はＡ薬液を貯留するタンクであり、Ｂ液貯留タンク３はＢ薬液を貯留するタンクである。このＡ薬液とＢ薬液は単独では固化しないが、Ａ薬液とＢ薬液が混合することにより固化するものである。本実施形態では、Ａ薬液として主材を用い、Ｂ薬液として硬化材調整材を用いている。
【００２５】
Ａ液コンプレッサ４はＡ液貯留タンク２内のＡ薬液をＡ液注入パイプ１１を介しＡ薬液注入管１ａに低圧で送り込むコンプレッサであり、Ｂ液コンプレッサ５はＢ液貯留タンク３内のＢ薬液をＢ液注入パイプ１２を介しＢ薬液注入管１ｂに低圧で送り込むコンプレッサである。具体的には、Ａ液貯留タンク２内のＡ薬液およびＢ液貯留タンク３内のＢ薬剤は１．２気圧の空気圧（低圧）でＡ薬液注入管１ａ、Ｂ薬液注入管１ｂに送り込まれる。なお、本実施形態では、Ａ薬液をＡ薬液注入管１ａに送り込むＡ液コンプレッサ４とＢ薬液をＢ薬液注入管１ｂに送り込むＢ液コンプレッサ５をそれぞれ別々のコンプレッサとしたが、これに限らず、１つのコンプレッサにより、Ａ液貯留タンク２内のＡ薬液およびＢ液貯留タンク３内のＢ薬液をＡ薬液注入管１ａ、Ｂ薬液注入管１ｂに低圧で送り込むようにしてもよい。
【００２６】
薬液浸入検知部７は、ガラス電極ｐＨメータ６により検出されたＡ薬液注入管１ａ，Ｂ薬液注入管１ｂのスリット１０から地盤内に注入されたＡ薬液とＢ薬液の混合薬液の地盤内へのｐＨ値（浸入値）が所定の基準値内かを検知するものである。具体的には、薬液浸入検知部７は、ガラス電極ｐＨメータ６により検出された地盤内のＡ薬液とＢ薬液の混合薬液のｐＨ値が６以下の範囲内であるかが検知される。ここで、後述するように、ガラス電極ｐＨメータ６は地盤改良計画範囲１３の地盤内に４本挿入されているので、それぞれのガラス電極ｐＨメータ６について、ガラス電極ｐＨメータ６により検出されたＡ薬液とＢ薬液の混合薬液のｐＨ値が６以下の範囲内かが検知される。なお、本実施形態では、Ａ薬液とＢ薬液の混合薬液のｐＨ値が６以下の範囲内であるかを検知したが、これに限らず、ｐＨ値が６〜８または７〜８の範囲内であるかを検知するものであってもよく、また他のｐＨ値の範囲内であるかを検知するものであってもよい。ここで、本実施形態では、ガラス電極ｐＨメータ６は、Ａ薬液注入管１ａ、Ｂ薬液注入管１ｂと同形状の配管の中に挿入され、地盤改良計画範囲１３の地盤内に挿入されている。
【００２７】
制御装置８は、薬液浸入検知部７により、ガラス電極ｐＨメータ６により検出された混合薬液のｐＨ値が６以下の範囲内でないと検知されたときに、混合薬液のｐＨ値が６以下の範囲内でないと検出されたガラス電極ｐＨメータ６の周辺のＡ薬液注入管１ａにＡ液貯留タンク２内のＡ薬液およびＢ薬液注入管１ｂにＢ液貯留タンク３内のＢ薬液を低圧で送り込む量を増大させるように制御するものである。この具体的内容については後述する。
【００２８】
次に、本発明の薬液注入システムに用いられるＡ薬液注入管１ａ、Ｂ薬液注入管１ｂについて説明する。図２（ａ）は本発明の一実施形態における薬液注入システムに用いられる薬液注入管の側面図であり、図２（ｂ）は図２（ａ）のＡ−Ａ断面を示す図であり、図２（ｃ）は図２（ａ）のＢ−Ｂ断面を示す図である。
【００２９】
図２に示すように、Ａ薬液注入管１ａ、Ｂ薬液注入管１ｂは、長さＨが約４．０ｍ、断面が外径Ｄ４８ｍｍ、内径ｄ４０ｍｍの円形中空管であり、先端部が蓋９で閉鎖され、後端部は開口している。なお、本実施形態では、Ａ薬液注入管１ａ、Ｂ薬液注入管１ｂとして、長さＨが約４．０ｍ、断面が外径Ｄ４８ｍｍ、内径ｄ４０ｍｍの円形中空管を用いたが、これに限らず、長さが約４．０ｍ〜５．５ｍ、断面が外径４８ｍｍ〜５０ｍｍ、内径４０ｍｍ〜４２ｍｍの円形中空管を用いてもよい。
【００３０】
Ａ薬液注入管１ａ、Ｂ薬液注入管１ｂの側壁には、縦方向に直線状の切込みであるスリット１０が形成されている。このスリット１０は、薬液注入管１（Ａ薬液注入管１ａ、Ｂ薬液注入管１ｂ）の先端部より薬液注入管１の長手方向から見て、それぞれ所定の長さで複数個設けられている。具体的には、スリット１０は、円周方向略等間隔に４個形成されているとともに、その円周方向の４個のスリット１０が縦方向略等間隔に２０列形成されている。なお、本実施形態は、Ａ薬液注入管１ａ、Ｂ薬液注入管１ｂ側壁のスリット１０が円周方向に４個、縦方向に２０列設けられるとしたが、これに限らず、円周方向略等間隔に２個〜４個、縦方向略等間隔に１５列〜２０列など、円周方向の個数、縦方向の列数が異なる他の形状で形成されるようにしてもよく、また略等間隔に形成しなくてもよい。
【００３１】
Ａ薬液注入管１ａ、Ｂ薬液注入管１ｂの後端部には、Ａ薬液注入管１ａにＡ薬液を注入するＡ液注入パイプ１１、Ｂ薬液注入管１ｂにＢ薬液を注入するＢ液注入パイプ１２が取り付けられている（図１参照）。
【００３２】
次に、本発明の薬液注入システムに用いられるＡ薬液注入管１ａ、Ｂ薬液注入管１ｂおよびガラス電極ｐＨメータ６が地盤改良計画範囲１３内に挿入される位置について説明する。図３（ａ）は本発明の一実施形態における薬液注入管およびガラス電極ｐＨメータが挿入される位置を示す上面図であり、図３（ｂ）は図３（ａ）のＸ−ＸとＹ−Ｙ範囲を示す図である。
【００３３】
図３（ａ）に示すように、Ａ薬液注入管１ａ、Ｂ薬液注入管１ｂは、縦横あらかじめ定められた間隔を空けて地盤改良計画範囲１３の地盤内に３６本挿入される。具体的には、Ａ薬液注入管１ａ、Ｂ薬液注入管１ｂは、縦横２ｍの等間隔を空けて、Ａ薬液注入管１ａとＢ薬液注入管１ｂが縦横相互に挿入されている。このように、Ａ薬液注入管１ａ、Ｂ薬液注入管１ｂを縦横２ｍの等間隔を空けて、Ａ薬液注入管１ａとＢ薬液注入管１ｂが縦横相互に格子状に地盤改良計画範囲１３の地盤内に挿入されているので、低圧で注入されたＡ薬液およびＢ薬液が均等に混ざり、地盤を万遍なく均等に固化させることができる。なお、本実施形態では、Ａ薬液注入管１ａ、Ｂ薬液注入管１ｂを縦横２ｍの等間隔を空けて挿入させたが、これに限らず、１．５ｍ〜２．５ｍの等間隔を空けて、Ａ薬液注入管１ａとＢ薬液注入管１ｂが縦横相互に格子状に挿入してもよく、また等間隔でなくてもよく、さらにＡ薬液注入管１ａとＢ薬液注入管１ｂを縦横相互に挿入しなくてもよい。また、本実施形態では、地盤改良計画範囲１３の地盤内に３６本挿入させたが、これに限らず、地盤改良計画範囲１３の広さに見合った複数本数を挿入するようにしてもよい。
【００３４】
図３（ａ）に示すように、ガラス電極ｐＨメータ６は、薬液注入管１の上部１本目と２本目の間または下部１本目と２本目の間で、かつ右端より少し右側または左端より少し左側の計４本が挿入されている。ガラス電極ｐＨメータ６が挿入される位置は、上記の位置に限らず、地盤改良計画範囲１３内に挿入された薬液注入管１の外側の薬液注入管１を線で結んだ外周より少し外側の他、ガラス電極ｐＨメータ６が挿入される位置は他の位置でもよい。特に、地盤改良計画範囲１３の地盤内に注入されたＡ薬液とＢ薬液の混合薬液の地盤内への浸入値をより正確に検出する場合は、地盤内により多くのガラス電極ｐＨメータ６を挿入すればよい。ここで、上述したように、本実施形態では、ガラス電極ｐＨメータ６は、Ａ薬液注入管１ａ、Ｂ薬液注入管１ｂと同形状の配管の中に挿入され、地盤改良計画範囲１３の地盤内に挿入されている。
【００３５】
次に、本発明の一実施形態における薬液注入工法による施工手順について図４を用いて説明する。図４は、本発明の一実施形態における薬液注入工法の施工手順を示すフローチャートである。
【００３６】
まず、Ｓ１において、削孔工程が実施される。この削孔工程では、これから薬液注入しようとする位置に削孔が行われる。具体的には、水供給源（図示略）から掘削スイベル（図示略）を介して地盤削孔管（図示略）の先端の水噴射孔（図示略）から水を放出させながら、地盤削孔管（図示略）を地盤内に挿入させる。削孔工程は、図３（ａ）に示す複数のＡ薬液注入管１ａ、Ｂ薬液注入管１ｂおよびガラス電極ｐＨメータ６が挿入されるすべて薬液挿入孔１４およびｐＨメータ挿入孔１５について行われる（図３（ｂ）参照）。ここで、薬液を注入して固化させようとする地盤は軟弱な地盤であるので、容易に削孔することができる。なお、本実施形態では、削孔専用の地盤削孔管（図示略）を用いて削孔を行ったが、これに限らず、薬液注入管１を用いて地盤の削孔を行ってもよい。そして、Ｓ２に進む。
【００３７】
Ｓ２において、Ａ薬液注入管１ａ、Ｂ薬液注入管１ｂおよびガラス電極ｐＨメータ６が挿入されるすべての挿入孔（薬液挿入孔１４およびｐＨメータ挿入孔１５）が削孔されたかが判断され、まだすべての挿入孔が削孔されていない場合は「ＮＯ」と判断され、Ｓ１により、さらに挿入孔の削孔が行われる。そして、すべての挿入孔が削孔されるまで、Ｓ２→Ｓ１→Ｓ２の処理が実施される。また、Ｓ２により、すべての挿入孔が削孔された場合は「ＹＥＳ」と判断され、削孔が完了したとして、Ｓ３に進む。
【００３８】
Ｓ３において、注入管挿入工程が実施される。この注入管挿入工程では、Ａ薬液注入管１ａ、Ｂ薬液注入管１ｂを地盤改良計画範囲１３の地盤内に３６本挿入される。具体的には、Ａ薬液注入管１ａ、Ｂ薬液注入管１ｂをクレーンで吊り下げ、削孔工程により削孔された薬液挿入孔１４にＡ薬液注入管１ａ、Ｂ薬液注入管１ｂ縦横相互に地盤改良計画範囲１３の地盤内に挿入される。このように、地盤内にＡ薬液注入管１ａ、Ｂ薬液注入管１ｂが挿入されると、Ａ薬液注入管１ａ、Ｂ薬液注入管１ｂのスリットから柔軟な土がＡ薬液注入管１ａ、Ｂ薬液注入管１ｂ内に入り込む。なお、本実施形態では、Ａ薬液注入管１ａ、Ｂ薬液注入管１ｂをクレーンで吊り下げて薬液挿入孔１４内に挿入したが、これに限らず、作業者により手動でＡ薬液注入管１ａ、Ｂ薬液注入管１ｂを薬液挿入孔１４に挿入してもよい。これにより、薬液注入管１が縦横あらかじめ定められた間隔（縦横２ｍの等間隔）を空けて地盤改良計画範囲１３の地盤内に３６本挿入される（図３（ａ）参照）。そして、Ｓ４に進む。
【００３９】
Ｓ４において、ガラス電極ｐＨメータ挿入工程（注入効果確認検出体挿入工程）が実施される。このガラス電極ｐＨメータ挿入工程では、ガラス電極ｐＨメータ６（注入効果確認検出体）が地盤内に４本挿入される。具体的には、ガラス電極ｐＨメータ６をクレーンで吊り下げ、ｐＨメータ挿入孔１５に挿入されたＡ薬液注入管１ａ、Ｂ薬液注入管１ｂと同形状の配管の中に挿入される。なお、本実施形態では、Ａ薬液注入管１ａ、Ｂ薬液注入管１ｂと同形状の配管およびガラス電極ｐＨメータ６をクレーンで吊り下げてｐＨメータ挿入孔１５内に挿入したが、これに限らず、作業者により手動でＡ薬液注入管１ａ、Ｂ薬液注入管１ｂと同形状の配管およびガラス電極ｐＨメータ６をｐＨメータ挿入孔１５に挿入してもよい。これにより、ガラス電極ｐＨメータ６が地盤改良計画範囲１３の地盤内に４本挿入される（図３（ａ）参照）。そして、Ｓ５に進む。なお、本実施形態では、ガラス電極ｐＨメータ６をＡ薬液注入管１ａ、Ｂ薬液注入管１ｂと同形状の配管の中に入れてｐＨメータ挿入孔１５に挿入したが、これに限らず、ガラス電極ｐＨメータ６単体でｐＨメータ挿入孔１５に挿入してもよい。ここで、ガラス電極ｐＨメータ６は、後述するＡ薬液とＢ薬液の混合薬液の地盤内へのｐＨ値（浸入値）を検出するメータである。
【００４０】
Ｓ５において、薬液注入工程が実施される。この薬液注入工程では、注入管挿入工程により地盤内に挿入されたＡ薬液注入管１ａにＡ薬液、Ｂ薬液注入管１ｂにＢ薬液をそれぞれ注入する。これにより、Ａ薬液注入管１ａ、Ｂ薬液注入管１ｂの側壁のスリット１０から地盤内にＡ薬液とＢ薬液が注入され、Ａ薬液とＢ薬液の混合薬液が地盤内に浸透される。ここで。Ａ薬液注入管１ａ、Ｂ薬液注入管１ｂが挿入される地盤は軟弱な地盤であるので、薬液注入管１の側壁のスリット１０から地盤内にＡ薬液とＢ薬液が浸透され易くなっている。また、このＡ薬液とＢ薬液の混合薬液は、固化されるまで数十分以上要するので、スリット１０から注入されたＡ薬液とＢ薬液は放射線状に浸透されながら広がっていく。また、本実施形態では薬液注入管１のスリット１０は、円周方向等間隔に４個、縦方向等間隔に２０列設けられているので、スリット１０から同時に地盤内に注入されるＡ薬液とＢ薬液の混合薬液を均等にすることができる。そして、Ｓ６に進む。
【００４１】
Ｓ６において、薬液浸入値検出工程が実施される。薬液浸入値検出工程では、ガラス電極ｐＨメータ６（注入効果確認検出体）により検出されたＡ薬液とＢ薬液の混合薬液の地盤内へのｐＨ値（浸入値）が所定の基準値内かが検知される。具体的には、地盤内に挿入されたＡ薬液注入管１ａ、Ｂ薬液注入管１ｂと同形状の配管のスリットから配管内に軟弱な地盤が入り込み、ガラス電極ｐＨメータ６により、その配管内に入った軟弱な地盤内のＡ薬液とＢ薬液の混合薬液のｐＨ値が検出される。ここで、薬液浸入値検出工程は、Ａ薬液注入管１ａ、Ｂ薬液注入管１ｂへのＡ薬液とＢ薬液の注入を停止させた後、３０分（所定の時間）経過してから実施される。このように、Ａ薬液注入管１ａ、Ｂ薬液注入管１ｂへのＡ薬液とＢ薬液の注入を停止させた後、３０分（所定の時間）経過してから実施されるのは、Ａ薬液とＢ薬液の混合薬液を地盤に十分浸透させるためである。そして、Ｓ７に進む。
【００４２】
Ｓ７において、薬液浸入基準値内検知工程が実施される。薬液浸入基準値内検知工程では、ガラス電極ｐＨメータ６により検出されたＡ薬液とＢ薬液の混合薬液のｐＨ値が６以下（所定の基準値）内かが薬液浸入検知部７により検知される。ここで、ガラス電極ｐＨメータ６により混合薬液のｐＨ値が測定不能の場合は、ｐＨ値が６以下（所定の基準値）内でないと検知される。なお、本実施形態では、Ａ薬液注入管１ａ、Ｂ薬液注入管１ｂへのＡ薬液とＢ薬液の注入を停止させた後、３０分（所定の時間）経過してから薬液浸入基準値内検知工程を実施させたが、これに限らず、薬液（Ａ薬液とＢ薬液）の種類に応じて、２０分や４０分など他の時間（所定の時間）経過してから薬液浸入基準値内検知工程を実施させてもよく、また、Ａ薬液注入管１ａ、Ｂ薬液注入管１ｂへＡ薬液とＢ薬液の注入しながら継続的に薬液浸入基準値内検知工程を実施してもよい。そして、ガラス電極ｐＨメータ６により検出されたＡ薬液とＢ薬液の混合薬液のｐＨ値が６以下（所定の基準値）内でない場合は「ＮＯ」と判断されて、Ｓ８により、薬液増大工程が実施される。すなわち、ガラス電極ｐＨメータ６により検出されたＡ薬液とＢ薬液の混合薬液のｐＨ値が６以下（所定の基準値）内でないガラス電極ｐＨメータ６が存在する場合は「ＮＯ」と判断され、Ｓ８により、薬液増大工程が実施される。この薬液増大工程では、ガラス電極ｐＨメータ６内のＡ薬液とＢ薬液の混合薬液のｐＨ値が６以下（所定の基準値）内でないと検出されたガラス電極ｐＨメータ６周辺のＡ薬液注入管１ａ、Ｂ薬液注入管１ｂにＡ薬液およびＢ薬液が１.２気圧の低圧で送り込まれる。具体的には、ガラス電極ｐＨメータ６内のＡ薬液とＢ薬液の混合薬液のｐＨ値が６以下（所定の基準値）内でないガラス電極ｐＨメータ６が存在する場合に、そのガラス電極ｐＨメータ６から近い９個のＡ薬液注入管１ａ、Ｂ薬液注入管１ｂにＡ薬液およびＢ薬液が１．２気圧の低圧で送り込まれる。このように、ガラス電極ｐＨメータ６内のＡ薬液とＢ薬液の混合薬液のｐＨ値が６以下（所定の基準値）内でないガラス電極ｐＨメータ６周辺のＡ薬液注入管１ａ、Ｂ薬液注入管１ｂに送り込まれるＡ薬液およびＢ薬液の量が増大する。そして、更にＳ６→Ｓ７に進み、すべてのガラス電極ｐＨメータ６により検出されたＡ薬液とＢ薬液の混合薬液のｐＨ値が６以下（所定の基準値）内になるまで、Ｓ８→Ｓ６→Ｓ７の処理が実施される。また、Ｓ７により、すべてのガラス電極ｐＨメータ６について、ガラス電極ｐＨメータ６により検出されたＡ薬液とＢ薬液の混合薬液のｐＨ値が６以下（所定の基準値）内の場合は「ＹＥＳ」と判断され、薬液注入が完了したとして、Ｓ９により、注入管引上工程が実施され、薬液注入管１が挿入孔から引き上げられ、薬液注入工程が終了する。なお、本実施形態では、Ａ薬液とＢ薬液の混合薬液のｐＨ値が６以下（所定の基準値）内でないガラス電極ｐＨメータ６が存在する場合に、そのガラス電極ｐＨメータ６から近い９個のＡ薬液注入管１ａ、Ｂ薬液注入管１ｂにＡ薬液およびＢ薬液を送り込むとしたが、これに限らず、そのガラス電極ｐＨメータ６から近い４個または１６個などＡ薬液注入管１ａ、Ｂ薬液注入管１ｂの全本数に応じ��、Ａ薬液およびＢ薬液を送り込む複数のＡ薬液注入管１ａ、Ｂ薬液注入管１ｂの本数を設定してもよい。また、本実施形態では、薬液注入が完了した後、Ｓ９の注入管引上工程により薬液注入管１を挿入孔から引き上げたが、これに限らず、薬液注入管１を挿入孔から引き上げることなく地盤内に挿入した状態で放置させてもよい。
【００４３】
以上のように、本実施形態における薬液注入システムを用いた薬液注入工法によれば、Ａ薬液とＢ薬液の混合薬液の地盤内へのｐＨ値が６以下内でないガラス電極ｐＨメータ６周辺のＡ薬液注入管１ａ、Ｂ薬液注入管１ｂにＡ液貯留タンク２内のＡ薬液およびＢ液貯留タンク３内のＢ薬液を低圧で送り込む量を増大させるので、固化してない地盤改良計画範囲１３の地盤をＡ薬液とＢ薬液の混合薬液により固化させることができ、地盤改良計画範囲１３全体の地盤を固化改良させることができる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００４５】
（変形例１）
次に、本発明の変形例１について説明する。
【００４６】
本発明の変形例１と本実施形態の異なるところは、本実施形態の薬液浸入値検出工程で、ガラス電極ｐＨメータ６（注入効果確認検出体）によりＡ薬液とＢ薬液の混合薬液のｐＨ値（浸入値）が検出され、そして、薬液浸入基準値内検知工程で、薬液浸入検知部７によりＡ薬液とＢ薬液の混合薬液のｐＨ値（浸入値）が６以下（所定の基準値）内かが検知されるものであったのに対し、変形例１の薬液浸入値検出工程では、粘度計（注入効果確認検出体）によりＡ薬液とＢ薬液の混合薬液の粘度値（浸入値）が検出され、そして、薬液浸入基準値内検知工程で、薬液浸入検知部７によりＡ薬液とＢ薬液の混合薬液の粘度値（浸入値）が５０Ｐａ・ｓ〜１５０Ｐａ・ｓ（所定の基準値）内かが検知されるところが異なる。以下、変形例１については、本実施形態と異なるところについて説明し、本実施形態と同様のところについては説明を省略する。
【００４７】
変形例１では、図４のＳ１の削孔工程により粘度計挿入孔が削孔され、そして、Ｓ４の注入効果確認検出体挿入工程により粘度計（注入効果確認検出体）が地盤内に挿入される。具体的には、粘度計は、本実施形態と同様、薬液注入管１と同様の形状の配管内に入れて地盤内に４本挿入される。これにより、粘度計外側の薬液注入管１と同様の形状の配管のスリットからＡ薬液とＢ薬液の混合薬液が浸透した柔軟な土が効果確認地盤抽出管内に入り込む。
【００４８】
Ｓ６の薬液浸入値検出工程では、粘度計（注入効果確認検出体）によりＡ薬液とＢ薬液の混合薬液の粘度値（浸入値）が検出され、そして、Ｓ７の薬液浸入基準値内検知工程では、薬液浸入値検出工程により検出された粘度値（浸入値）が５０Ｐａ・ｓ〜１５０Ｐａ・ｓ（所定の基準値）内かが薬液浸入検知部により検知される。なお、本実施形態では、地盤内で、薬液注入管１と同様の形状の配管内に挿入された粘度計により粘度値を検出したが、これに限らず、薬液注入管１と同様の形状の配管を地盤内から引き揚げ、その配管内に入り込んだ柔軟な土を取り出して、粘度値を検出してもよい。そして、Ｓ７において、粘度計により検出されたＡ薬液とＢ薬液の混合薬液の粘度値が５０Ｐａ・ｓ〜１５０Ｐａ・ｓ（所定の基準値）内でない場合は「ＮＯ」と判断されて、Ｓ８により、薬液増大工程が実施される。なお、その他については、本実施形態と同様であるので、説明は省略する。なお、変形例１では、粘度計によりＡ薬液とＢ薬液の混合薬液の粘度値が５０Ｐａ・ｓ〜１５０Ｐａ・ｓ（所定の基準値）内かを検知させたが、これに限らず、混合薬液の粘度値が１５０Ｐａ・ｓ〜３００Ｐａ・ｓ（所定の基準値）など他の粘度値であってもよい。
【００４９】
（変形例２）
次に、本発明の変形例２について説明する。
【００５０】
本発明の変形例２と本実施形態の異なるところは、本実施形態の薬液浸入値検出工程で、ガラス電極ｐＨメータ６（注入効果確認検出体）によりＡ薬液とＢ薬液の混合薬液のｐＨ値（浸入値）が検出され、そして、薬液浸入基準値内検知工程で、薬液浸入検知部７によりＡ薬液とＢ薬液の混合薬液のｐＨ値（浸入値）が６以下（所定の基準値）内かが検知されるものであったのに対し、変形例２の薬液浸入値検出工程では、着色測定計（注入効果確認検出体）によりＡ薬液とＢ薬液の混合薬液の着色値（浸入値）が検出され、そして、薬液浸入基準値内検知工程で、薬液浸入検知部７によりＡ薬液とＢ薬液の混合薬液の着色値（浸入値）が所定の着色値内かが検知されるところが異なる。以下、変形例２については、本実施形態と異なるところについて具体的に説明し、本実施形態と同様のところについては説明を省略する。ここで、着色値とは、彩度などの色に関する値である。
【００５１】
変形例２では、図４のＳ１の削孔工程により効果確認地盤抽出管挿入孔が削孔され、そして、Ｓ４の注入効果確認検出体挿入工程により効果確認地盤抽出管（図示略）が地盤内に４本挿入される。ここで、効果確認地盤抽出管は、薬液注入管１と同様の形状で、円周方向略等間隔に４個、縦方向略等間隔に２０列形成されている。これにより、効果確認地盤抽出管のスリットからＡ薬液とＢ薬液の混合薬液が浸透した柔軟な土が効果確認地盤抽出管内に入り込む。
【００５２】
Ｓ５の薬液注入工程では、注入管挿入工程により地盤内に挿入されたＡ薬液注入管１ａに着色したＡ薬液、Ｂ薬液注入管１ｂに着色したＢ薬液がそれぞれ注入される。
【００５３】
Ｓ６の薬液浸入値検出工程では、地盤内に挿入した効果確認地盤抽出管が引き上げられ、その地盤から引き上げられた効果確認地盤抽出管内に入り込んだ土を取り出して、着色測定計（注入効果確認検出体）により地盤に浸透しているＡ薬液とＢ薬液の混合薬液の彩度値（着色値（浸入値））が検出される。ここで、彩度値（ｃ）は、着色測定計（注入効果確認検出体）により検出される。ここで、着色測定計（注入効果確認検出体）の彩度値（ｃ）の検出は、ＬａＢ表色系（国際照明委員会（ＣＩＥ））を用い、緑〜赤の間の値ａ（負の値が緑寄り、正の値が赤寄り）と、青〜黄の間の値Ｂ（負の値が青寄り、正の値が黄寄り）を検出し、その検出された緑〜赤の間の値ａ（負の値が緑寄り、正の値が赤寄り）を表すａ軸、青〜黄の間の値Ｂ（負の値が青寄り、正の値が黄寄り）を表すＢ軸の値から、下記の式を用いて、求められる。
【数１】
0006661230.tif 000002
このように、着色測定計により、地盤に浸透しているＡ薬液とＢ薬液の混合薬液の緑〜赤の間の値「ａ」と青〜黄の間の値「Ｂ」を用いて、「式１（数１）」から彩度値（ｃ）が求められる。そして、Ｓ７の薬液浸入基準値内検知工程では、薬液浸入値検出工程により検出された彩度値（着色値（浸入値））が３０〜４０（所定の基準値）内かが検知される。
【００５４】
次に、Ｓ７において、着色測定計により検出されたＡ薬液とＢ薬液の混合薬液の彩度値（着色値（浸入値））が３０〜４０（所定の基準値）内でない場合は「ＮＯ」と判断されて、Ｓ８により、薬液増大工程が実施される。なお、その他については、本実施形態と同様であるので、説明は省略する。なお、変形例２では、着色測定計により検出されたＡ薬液とＢ薬液の混合薬液の彩度値（着色値（浸入値））が３０〜４０（所定の基準値）内かが検知されたが、これに限らず、混合薬液の彩度値（着色値（浸入値））が２０〜３０（所定の基準値）など他の彩度値であってもよい。
【００５５】
（変形例３）
次に、本発明の変形例３について説明する。
【００５６】
本発明の変形例３と変形例１の異なるところは、変形例１の薬液注入工程では、地盤内に挿入されたＡ薬液注入管１ａにＡ薬液、Ｂ薬液注入管１ｂにＢ薬液をそれぞれ注入したのに対し、変形例３の薬液注入工程では、地盤内に挿入された薬液注入管１ｃ（Ａ薬液注入管１ａとＢ薬液注入管１ｂに相当）にＡ薬液とＢ薬液を注入するところが異なる。以下、変形例３については、変形例１と異なるところについて具体的に説明し、変形例１と同様のところについては説明を省略する。
【００５７】
変形例３の薬液注入管１ｃは、Ａ薬液注入管１ａおよびＢ薬液注入管１ｂの横断面の中央に仕切り板１６が設けられている（図５参照）。この仕切り板１６を境にして、薬液注入工程では、薬液注入管１ｃの半分にＡ薬剤が注入され、他の半分にＢ薬剤が注入される。ここで、図５は本発明の変形例３の薬液注入管の図２（ａ）のＢ−Ｂ断面を示す図である。これにより、薬液注入管１ｃの側壁の２つのスリット１０から地盤内にＡ薬液に注入され、他の２つのスリット１０から地盤内にＢ薬液が注入される。そして、薬液浸入基準値内検知工程において、粘度計（注入効果確認検出体）により検出されたＡ薬液とＢ薬液の混合薬液の地盤内への粘度値（浸入値）が５０Ｐａ・ｓ〜１５０Ｐａ・ｓ（所定の基準値）内でないと検知されたときには、薬液増大工程では、Ａ薬液とＢ薬液の混合薬液の地盤内への浸入値が５０Ｐａ・ｓ〜１５０Ｐａ・ｓ（所定の基準値）内でないと検出された粘度計（注入効果確認検出体）周辺の薬液注入管１ｃにＡ薬液およびＢ薬液が１.２気圧の低圧で送り込まれる。このように、変形例３によっても、変形例１の効果と同様の効果を奏することができる。なお、変形例３については、変形例１を用いて説明したが、薬液注入管１ｃにＡ薬液およびＢ薬液を注入して同様の効果を奏するものであれば他の態様についても適用できる。
【符号の説明】
【００５８】
１      薬液注入管
１ａ Ａ薬液注入管
１ｂ Ｂ薬液注入管
１ｃ 薬液注入管
２      Ａ液貯留タンク
３      Ｂ液貯留タンク
４      Ａ液コンプレッサ
５      Ｂ液コンプレッサ
６      ガラス電極ｐＨメータ
７      薬液浸入検知部
８      制御装置
９      蓋
１０    スリット
１１    Ａ液注入パイプ
１２    Ｂ液注入パイプ
１３    地盤改良計画範囲
１４    薬液挿入孔
１５    ｐＨメータ挿入孔
１６    仕切り板
【図１】
0006661230.tif 000003
【図２】
0006661230.tif 000004
【図３】
0006661230.tif 000005
【図４】
0006661230.tif 000006
【図５】
0006661230.tif 000007
【図６】
0006661230.tif 000008